(57)【特許請求の範囲】
【請求項１】
ランプの非常用電源となる二次電池と、常用電源からの電力供給により二次電池を充電する充電回路部と、二次電池からの電力供給によりランプを点灯させる点灯回路部と、二次電池の残容量を検出する検出手段と、点灯回路部を制御し、非常信号が入力されるとランプを所定の電力で点灯させ、点検信号が入力されると非常信号が入力されたときよりも低い電力でランプを点灯させる制御手段と、制御手段に点検信号を入力して二次電池を所定時間強制的に放電させた後の検出手段の検出結果に基いて二次電池の異常を判断する点検手段とを備えていることを特徴とする非常用装置。
【請求項２】
前記制御手段は、点検信号が入力されると、ランプが最低駆動電力で点灯するように点灯回路部を制御することを特徴とする請求項１に記載の非常用装置。
【請求項３】
ランプはキセノンランプであって、前記制御手段は、点検信号が入力されると、前記キセノンランプに該キセノンランプの始動電圧に相当する電圧を印加するように点灯回路部を制御することを特徴とする請求項１に記載の非常用装置。
【請求項４】
ランプの非常用電源となる二次電池と、常用電源からの電力供給により二次電池を充電する充電回路部と、二次電池からの電力供給によりランプを点灯させる点灯回路部と、二次電池の残容量を検出する検出手段と、点灯回路部を制御し、非常信号が入力されるとランプを所定周期で点滅させ、点検信号が入力されると非常信号が入力されたときよりも長い周期でランプを点滅させる制御手段と、制御手段に点検信号を入力して二次電池を所定時間強制的に放電させた後の検出手段の検出結果に基いて二次電池の異常を判断する点検手段とを備えていることを特徴とする非常用装置。
【請求項５】
ランプの非常用電源となる二次電池と、常用電源からの電力供給により二次電池を充電する充電回路部と、二次電池からの電力供給によりランプを点灯させる点灯回路部と、二次電池の残容量を検出する検出手段と、非常信号が入力されると点灯回路部を制御してランプを点灯させ、点検信号が入力されるとランプを消灯させると共に、二次電池から電力供給される点検用の負荷である抵抗器のみを用いて二次電池を所定時間強制的に放電させる制御手段と、制御手段に点検信号を入力して二次電池を所定時間強制的に放電させた後の検出手段の検出結果に基いて二次電池の異常を判断する点検手段とを備えていることを特徴とする非常用装置。
【請求項６】
スピーカの非常用電源となる二次電池と、常用電源からの電力供給により二次電池を充電する充電回路部と、二次電池からの電力供給によりスピーカから音声を出力させる音声回路部と、二次電池の残容量を検出する検出手段と、音声回路部を制御し、非常信号が入力されるとスピーカから所定の音圧の音声を出力させ、点検信号が入力されると非常信号が入力されたときよりも低い音圧の音声をスピーカから出力させる制御手段と、制御手段に点検信号を入力して二次電池を所定時間強制的に放電させた後の検出手段の検出結果に基いて二次電池の異常を判断する点検手段とを備えていることを特徴とする非常用装置。
【請求項７】
前記制御手段は、点検信号が入力されると、音声回路部を制御してスピーカから最も低い音圧の音声を出力させることを特徴とする請求項６に記載の非常用装置。
【請求項８】
スピーカの非常用電源となる二次電池と、常用電源からの電力供給により二次電池を充電する充電回路部と、二次電池からの電力供給によりスピーカから音声を出力させる音声回路部と、二次電池の残容量を検出する検出手段と、音声回路部を制御し、非常信号が入力されるとスピーカから音声を出力させ、点検信号が入力されると非常信号が入力されたときとは異なる音声をスピーカから出力させる制御手段と、制御手段に点検信号を入力して二次電池を所定時間強制的に放電させた後の検出手段の検出結果に基いて二次電池の異常を判断する点検手段とを備え、制御手段に非常信号が入力された場合と点検信号が入力された場合とでスピーカの消費電力を略等しくしていることを特徴とする非常用装置。
【請求項９】
スピーカの非常用電源となる二次電池と、常用電源からの電力供給により二次電池を充電する充電回路部と、二次電池からの電力供給によりスピーカから音声を出力させる音声回路部と、二次電池の残容量を検出する検出手段と、音声回路部を制御し非常信号又は点検信号が入力されるとスピーカから音声を出力させる制御手段と、制御手段に信号を入力して二次電池を所定時間強制的に放電させた後の検出手段の検出結果に基いて二次電池の異常を判断する点検手段と、点検手段の点検結果に基づいて二次電池が正常である場合には正常であることを通知する音声をスピーカから出力し、二次電池が異常である場合には異常であることを示す音声をスピーカから出力させる点検結果通知手段とを備えていることを特徴とする非常用装置。
【請求項１０】
請求項１〜９のいずれかに記載された非常用装置を複数備えていることを特徴とする非常用システム。
【発明の詳細な説明】
【技術分野】
【０００１】
本発明は、常用電源が災害等により遮断された際に、二次電池等の非常用電源で動作する誘導灯や非常灯等の非常用装置、及び非常用システムに関する。
【背景技術】
【０００２】
従来から、災害や停電等によって常用電源が遮断されて、常用電源からの電力供給が得られなくなった際に、二次電池等の非常用電源を用いて動作する非常用装置が提供されており、このような非常用装置としては、避難出口への誘導を行う誘導灯や、避難経路を照らす非常灯等の非常用の照明装置、さらには音声により避難誘導を促す誘導装置等がある。
【０００３】
ここで、誘導灯や非常灯のような非常用の照明装置は、火災や地震等の災害によって商用電源が遮断されて停電した際に二次電池からなる非常用電源でランプ（光源）を点灯、点滅させるものであり、二次電池による点灯、点滅が正常に行われているか否かの点検を定期的に行うように消防法や、建築基準法等で義務付けられている。
【０００４】
そのため、誘導灯や非常灯のような照明装置には、常用電源（商用電源）からランプへの電力供給を強制的に停止して擬似的な停電状態とするためのスイッチ等が設けられており、点検者が装置本体から垂下されている引き紐を操作して上記スイッチをオンさせることによって、二次電池からランプへ電力を供給してランプを点灯させることで二次電池の点検が行えるようになっている。
【０００５】
また、消防法や、建築基準法の規定によると、誘導灯の場合には二次電源からの電力供給により２０分間又は６０分間、非常灯の場合には二次電源からの電力供給により３０分間、ランプを有効に点灯させなければならない。そのため、点検者は、上記の引き紐に重り等を吊り下げて上記スイッチをオンとし、二次電源によるランプの点灯が上記の規定を満足するか否かを監視しなければならず、特に、誘導灯や非常灯は、建物内の複数箇所に設置されるものであるから、これら複数の誘導灯や非常灯を一つ一つ見て回って点検する必要があるから、二次電池の点検作業は非常に手間がかかるものとなっていた。
【０００６】
そこで、二次電池の点検作業の自動化並びに省力化を図った照明装置が提供されており、このような照明装置は、点検者が短時間だけ点検スイッチをオンすれば、点検用のシーケンスによって所定の点検作業を実行して、二次電池に異常があれば表示手段により二次電池に異常があることを表示するように構成されている。また、ランプを所定時間以上強制的に点灯させて、二次電池の点検を行う照明装置が開示されている（例えば、特許文献１）。
【０００７】
以下に、このような非常用の照明装置について図７（ａ），（ｂ）を参照して簡単に説明する。照明装置は、図７（ａ）に示すように、白熱ランプや放電ランプ等のランプ４の非常用電源となる二次電池１と、常用電源となる商用電源ＡＣから供給される交流を降圧、安定化して二次電池１充電用の直流を出力する充電回路部２と、二次電池１からの電力供給を元にしてランプ４に電力を供給する点灯回路部３と、二次電池１から点灯回路部３への給電路を開閉するスイッチング素子Ｑと、外部装置からの信号により充電回路部２、点灯回路部３、及びスイッチング素子Ｑを制御するとともに、二次電池１の異常を判断する制御部１００とを備えている。ここで、充電回路部２は、全波整流回路や平滑回路、降圧チョッパ回路等を組み合わせて構成され、点灯回路部３は、昇降圧チョッパ回路や、ランプ４が放電灯である場合にはインバータ回路等を用いて構成されており、これらの回路構成については従来から周知のものを用いることができるから、説明を省略する。
【０００８】
制御部１００は、タイマ機能を内蔵したマイクロコンピュータを主構成要素とし、二次電池１の電圧（以下「電池電圧」と称する）を検出する電圧検出部１０１と、電圧検出部１０１の検出結果から二次電池１の異常を判断する判断部１０２と、充電回路部２、スイッチング素子Ｑ、及び点灯回路部３を制御する制御回路部１０３と、商用電源ＡＣが遮断されたことを知らせる非常信号や二次電源１の点検を開始させる点検信号等を受け取る通信部１０４とを具備している。この制御部１００は、二次電池１が満充電状態か否かを常時監視する監視機能を備えており、ここで二次電池１が満充電状態か否かの判断は、判断部１０２によって行われる。例えば、電圧検出部１０１により検出した二次電池１の電圧値が所定値以上となったか否か、或いはタイマ機能により二次電池１の充電継続時間が所定時間以上となったか否か（二次電池１の充電開始から満充電状態となるのに十分な時間が経過したか否か）によって、判断部１０２は、二次電池１が満充電状態であるか否かを判断する。
【０００９】
また、制御回路部１０３は、商用電源ＡＣにより二次電池１を充電する通常モードと、二次電池１によりランプ４を点灯させる非常モード（停電モード）と、二次電池１の点検を行う点検モードの３つの動作モードで充電回路部２、スイッチング素子Ｑ、及び点灯回路部３を制御するように構成されている。
【００１０】
通常モードは、通信部１０４に非常信号と点検信号のいずれの信号も入力されていない常時の動作モードであり、このとき、制御回路部１０３は、スイッチング素子Ｑをオフして二次電池１から点灯回路部３への給電路を開いてランプ４を消灯するとともに、充電回路部２を動作させて商用電源ＡＣからの電力供給により二次電池１を充電する。
【００１１】
非常モードは、例えば非常時（停電時）に避難誘導等を行うための動作モードであり、通信部１０４に非常信号が入力された際にこのモードに切り換えられる。そして、非常モードでは、制御回路部１０３は、スイッチング素子Ｑをオンして二次電池１から点灯回路部３への給電路を閉じるとともに充電回路部２の動作を停止させた後に、点灯回路部３によりランプ４を点灯させる。
【００１２】
点検モードは、二次電池１の定期的な点検を行うための動作モードであり、通信部１０４に点検信号が入力された際にこのモードに切り換えられる。以下に、この点検モード時の動作について図７（ｂ）を参照して説明する。点検モードに切り換えられると、制御回路部１０３は、非常モードと同様に、スイッチング素子Ｑをオンして二次電池１から点灯回路部３への給電路を閉じるとともに充電回路部２の動作を停止させた後に、点灯回路部３によりランプ４を点灯させるのであるが、点検モードへの切り換え時には監視機能により電池電圧Ｖが満充電状態の電圧ＶＦとなっているか否かを判断し、電池電圧Ｖが電圧ＶＦに満たない場合は、点検モードを強制的に中止し、通常モードへと移行する。
【００１３】
そして、電池電圧Ｖが満充電状態の電圧ＶＦ以上となっている場合には、点検モードが続行され、ランプ４を規定時間（上記の消防法や建築基準法により定められた時間）ｔＲ以上点灯させて二次電池１を放電させるとともに、規定時間ｔＲ経過後の電池電圧Ｖを電圧検出部１０１により検出する。そして、判断部１０２により電圧検出部１０１の検出値と放電基準電圧（例えば二次電池１によりランプ４を有効に点灯するために最低限必要な電圧）Ｖｓとを比較し、図７（ｂ）中に実線で示すように電池電圧Ｖ１が放電基準電圧Ｖｓ以上であれば、二次電池１が正常であると判断し、図７（ｂ）中に点線で示すように電池電圧Ｖ２が放電基準電圧Ｖｓを下回れば、二次電池１が異常であると判断して、この結果を知らせるのある。
【特許文献１】特開２００４−１１９１５１号公報（第１図）
【発明の開示】
【発明が解決しようとする課題】
【００１４】
上記の特許文献１では、二次電池の点検を容易に行えるものの、二次電池の点検を行う点検モードでは、非常モードと同様にランプ４を所定時間点灯させる動作を行うので、このような点検モードによるランプ４の点灯と、災害等によって停電が起きた際の非常モードによるランプ４の点灯とを判別することが困難であった。
【００１５】
そのため、ランプ４の点灯を認知した人は、ランプ４の点灯が点検モードによるものであるにも関わらず、非常モードによるものであると誤認してしまうおそれがあった。
【００１６】
つまり、従来の非常用装置では、非常時の動作と点検時の動作とが判別し難いため、点検時の動作と非常時の動作とが誤認されるおそれが高く、これにより人を混乱させてしまう場合があった。
【００１７】
本発明は上述の点に鑑みて為されたもので、その目的は、二次電池の点検時の動作と、非常時の動作とが誤認されることを抑制できる非常用装置、及び非常用システムを提供することである。
【課題を解決するための手段】
【００１８】
上述の課題を解決するために、請求項１の非常用装置の発明では、ランプの非常用電源となる二次電池と、常用電源からの電力供給により二次電池を充電する充電回路部と、二次電池からの電力供給によりランプを点灯させる点灯回路部と、二次電池の残容量を検出する検出手段と、点灯回路部を制御し、非常信号が入力されるとランプを所定の電力で点灯させ、点検信号が入力されると非常信号が入力されたときよりも低い電力でランプを点灯させる制御手段と、制御手段に点検信号を入力して二次電池を所定時間強制的に放電させた後の検出手段の検出結果に基いて二次電池の異常を判断する点検手段とを備えていることを特徴とする。
【００１９】
請求項２の非常用装置の発明では、請求項１の構成に加えて、前記制御手段は、点検信号が入力されると、ランプが最低駆動電力で点灯するように点灯回路部を制御することを特徴とする。
【００２０】
請求項３の非常用装置の発明では、請求項１の構成に加えて、ランプはキセノンランプであって、前記制御手段は、点検信号が入力されると、前記キセノンランプに該キセノンランプの始動電圧に相当する電圧を印加するように点灯回路部を制御することを特徴とする。
【００２１】
請求項４の非常用装置の発明では、ランプの非常用電源となる二次電池と、常用電源からの電力供給により二次電池を充電する充電回路部と、二次電池からの電力供給によりランプを点灯させる点灯回路部と、二次電池の残容量を検出する検出手段と、点灯回路部を制御し、非常信号が入力されるとランプを所定周期で点滅させ、点検信号が入力されると非常信号が入力されたときよりも長い周期でランプを点滅させる制御手段と、制御手段に点検信号を入力して二次電池を所定時間強制的に放電させた後の検出手段の検出結果に基いて二次電池の異常を判断する点検手段とを備えていることを特徴とする。
【００２２】
請求項５の非常用装置の発明では、ランプの非常用電源となる二次電池と、常用電源からの電力供給により二次電池を充電する充電回路部と、二次電池からの電力供給によりランプを点灯させる点灯回路部と、二次電池の残容量を検出する検出手段と、非常信号が入力されると点灯回路部を制御してランプを点灯させ、点検信号が入力されるとランプを消灯させると共に、二次電池から電力供給される点検用の負荷である抵抗器のみを用いて二次電池を所定時間強制的に放電させる制御手段と、制御手段に点検信号を入力して二次電池を所定時間強制的に放電させた後の検出手段の検出結果に基いて二次電池の異常を判断する点検手段とを備えていることを特徴とする。
【００２３】
請求項６の非常用装置の発明では、スピーカの非常用電源となる二次電池と、常用電源からの電力供給により二次電池を充電する充電回路部と、二次電池からの電力供給によりスピーカから音声を出力させる音声回路部と、二次電池の残容量を検出する検出手段と、音声回路部を制御し、非常信号が入力されるとスピーカから所定の音圧の音声を出力させ、点検信号が入力されると非常信号が入力されたときよりも低い音圧の音声をスピーカから出力させる制御手段と、制御手段に点検信号を入力して二次電池を所定時間強制的に放電させた後の検出手段の検出結果に基いて二次電池の異常を判断する点検手段とを備えていることを特徴とする。
【００２４】
請求項７の非常用装置の発明では、請求項６の構成に加えて、前記制御手段は、点検信号が入力されると、音声回路部を制御してスピーカから最も低い音圧の音声を出力させることを特徴とする。
【００２５】
請求項８の非常用装置の発明では、スピーカの非常用電源となる二次電池と、常用電源からの電力供給により二次電池を充電する充電回路部と、二次電池からの電力供給によりスピーカから音声を出力させる音声回路部と、二次電池の残容量を検出する検出手段と、音声回路部を制御し、非常信号が入力されるとスピーカから音声を出力させ、点検信号が入力されると非常信号が入力されたときとは異なる音声をスピーカから出力させる制御手段と、制御手段に点検信号を入力して二次電池を所定時間強制的に放電させた後の検出手段の検出結果に基いて二次電池の異常を判断する点検手段とを備え、制御手段に非常信号が入力された場合と点検信号が入力された場合とでスピーカの消費電力を略等しくしていることを特徴とする。
【００２６】
請求項９の非常用装置の発明では、スピーカの非常用電源となる二次電池と、常用電源からの電力供給により二次電池を充電する充電回路部と、二次電池からの電力供給によりスピーカから音声を出力させる音声回路部と、二次電池の残容量を検出する検出手段と、音声回路部を制御し非常信号又は点検信号が入力されるとスピーカから音声を出力させる制御手段と、制御手段に信号を入力して二次電池を所定時間強制的に放電させた後の検出手段の検出結果に基いて二次電池の異常を判断する点検手段と、点検手段の点検結果に基づいて二次電池が正常である場合には正常であることを通知する音声をスピーカから出力し、二次電池が異常である場合には異常であることを示す音声をスピーカから出力させる点検結果通知手段とを備えていることを特徴とする。
【００２７】
請求項１０の非常用システムでは、請求項１〜９のいずれかに記載された非常用装置を複数備えていることを特徴とする。
【発明の効果】
【００２８】
本発明は、二次電池の点検を容易に行えるという利点に加えて、二次電池の点検を行う点検信号が入力されたときにランプに供給する電力を、非常信号が入力されたときにランプに供給する電力に比べて低く設定しているので、非常時のランプの明るさに比べて点検時のランプの明るさが暗くなって、点検時には人を避難口へと誘導する効果が低くなり、これにより点検時の動作と非常時の動作とが判別し易くなって、点検時の動作と非常時の動作とを誤認してしまうことを抑制できるという効果がある。
【発明を実施するための最良の形態】
【００２９】
以下、本発明の実施形態について、図１〜図６を参照して説明する。
【００３０】
（実施形態１）
本実施形態の非常用装置は、例えば天井近くの壁面等に設置される避難口誘導灯等の非常用の照明装置であり、図１（ａ）に示すように、消防法の規定により避難口であることを示すシンボル等が付された点灯表示部（図示せず）と、点灯表示部を発光させる白熱ランプや放電ランプ等のランプ４と、ランプ４の非常用電源となる二次電池１と、常用電源となる商用電源ＡＣから供給される交流を降圧、安定化して二次電池１充電用の直流を出力する充電回路部２と、二次電池１からの電力供給を元にしてランプ４に電力Ｗを供給する点灯回路部３と、二次電池１から点灯回路部３への給電路を開閉するスイッチング素子Ｑと、制御部５とを備えている。該制御部５には、二次電池１の残容量を検出する検出手段と、充電回路部２と点灯回路部３とスイッチング素子Ｑとを制御し、外部の信号装置６の非常信号Ａが入力されるとランプ４を所定の電力で点灯させ、点検信号Ｂが入力されると非常信号Ａが入力されたときよりも低い電力でランプ４を点灯させる制御手段と、制御手段に点検信号Ｂを入力して二次電池１を所定時間強制的に放電させた後の検出手段の検出結果に基いて二次電池１の異常を判断する点検手段とが設けられている。尚、充電回路部２と点灯回路部３については、従来例と同様のものであるから、説明を省略する。
【００３１】
上記の信号装置６は、災害時等に商用電源ＡＣが遮断された際に非常信号Ａを出力し、また、点検者の操作によって照明装置に二次電池１の点検をさせる点検信号Ｂを出力するものである。尚、点検信号Ｂの出力中に、災害等が発生して商用電源ＡＣが遮断された際には、点検信号Ｂの出力を中止して非常信号Ａを出力するようになっており、また非常信号Ａの出力中に点検信号Ｂを出力する操作が行われたとしても、このような操作を無視するようにしている。
【００３２】
制御部５は、タイマ機能を内蔵したマイクロコンピュータを主構成要素とし、電池電圧を検出する電圧検出部５ａと、電圧検出部５ａの検出結果から二次電池１の異常を判断する判断部５ｂと、上記の信号装置６の非常信号Ａや点検信号Ｂに基いて充電回路部２、スイッチング素子Ｑ、及び点灯回路部３を制御する制御回路部５ｃとを備えている。したがって、制御部５の電圧検出部５ａ、判断部５ｂ、制御回路部５ｃがそれぞれ上記の検出手段、点検手段、制御手段に相当する。尚、制御部５の動作電源は、上記の二次電池１とは別の二次電池、又は一次電池等により得るようにしている。
【００３３】
また、制御部５は、二次電池１が満充電状態であるか否かを常時監視する監視機能を備えており、ここで二次電池１が満充電状態であるか否かの判断は、判断部５ｂにより行われる。例えば、電圧検出部５ａにより検出した二次電池１の電圧値が所定値以上となったか否か、或いはタイマ機能により二次電池１の充電継続時間が所定時間以上となったか否か（二次電池１の充電開始から満充電状態となるのに十分な時間が経過したか否か）によって、判断部５ｂは、二次電池１が満充電状態であるか否かを判断する。
【００３４】
制御回路部５ｃは、商用電源ＡＣから電力供給を受けているとき（常時）に、商用電源ＡＣにより二次電池１を充電する通常モードと、災害等により商用電源ＡＣからの電力供給が途絶えた非常時（停電時）に、二次電池１によりランプ４を点灯させる非常モード（停電モード）と、二次電池１の点検を行う点検モードの３つの動作モードで充電回路部２、スイッチング素子Ｑ、及び点灯回路部３を制御するように構成されており、以下に各動作モードについて説明する。
【００３５】
通常モードは、信号装置６の非常信号Ａと点検信号Ｂのいずれの信号も入力されていない通常時の動作モードであり、このとき、制御回路部５ｃは、スイッチング素子Ｑをオフして二次電池１から点灯回路部３への給電路を開くことでランプ４を消灯するとともに、充電回路部２を動作させ、商用電源ＡＣからの電力供給により二次電池１を充電する。
【００３６】
非常モードは、例えば非常時に避難誘導等を行うための動作モードであり、図１（ｂ）に示すように、信号装置６の非常信号Ａが入力されるとこのモードに切り換えられる。そして、非常モードでは、制御回路部５ｃは、スイッチング素子Ｑをオンして二次電池１から点灯回路部３への給電路を閉じるとともに充電回路部２の動作を停止させ、且つ、点灯回路部３により電力Ｗをランプ４に供給して、ランプ４を所定の点滅周期で点滅させ、これにより人を避難口に誘導する。
【００３７】
点検モードは、二次電池１の定期的な点検を行うための動作モードであり、図１（ｃ）に示すように、信号装置６の点検信号Ｂが入力されるとこのモードに切り換えられる。以下に、この点検モード時の動作について説明する。点検モードに切り換えられると、制御回路部５ｃは、スイッチング素子Ｑをオンして二次電池１から点灯回路部３への給電路を閉じるとともに充電回路部２の動作を停止させ、且つ、点灯回路部３により非常モードと同じ点滅周期で電力Ｗをランプ４に供給することでランプ４を点滅させるのであるが、このとき、ランプ４に供給する電力Ｗは非常モード時の電力Ｗよりも低く設定している。ここで、電力Ｗを低く設定する方法としては、ランプ４が白熱ランプである場合には点灯回路部３のチョッパ回路のスイッチング素子のオン幅を非常モードよりも短くしてランプ４に印加する電圧の最大値を低くする方法や、ランプ４が放電ランプである場合には点灯回路部３のインバータ回路によるランプ４の点灯周波数を変える方法等があり、状況に応じて様々な方法を採用することができる。
【００３８】
尚、動作モードが点検モードに切り換えられた際には、監視機能により電池電圧が満充電状態の電圧となっているか否かを判断するようになっており、電池電圧が満充電状態の電圧に満たない場合は、正しい点検を行えないため、点検モードを強制的に中止し、通常モードへ移行する。
【００３９】
そして、電池電圧が満充電状態の電圧以上となっている場合には、ランプ４を上記の条件で所定時間（点検モード時のランプ４の消費電力量が、非常モードで上記の消防法や建築基準法により定められた時間動作させた際のランプ４の消費電力量以上となるような時間）以上点滅させて二次電池１を放電させ、所定時間経過後の電池電圧を電圧検出部５ａにより検出する。そして、判断部５ｂにより電圧検出部５ａの検出値と放電基準電圧（例えば二次電池１によりランプ４を有効に点灯するために最低限必要な電圧）とを比較し、電池電圧が放電基準電圧以上であれば、二次電池１が正常であると判断し、電池電圧が放電基準電圧を下回れば、二次電池１が異常であると判断する。
【００４０】
以上述べた本実施形態の照明装置によれば、二次電池１の点検を容易に行えるという利点に加えて、点検モード時と非常モード時とで同一の点滅周期でランプ４を点灯させるとともに、二次電池１の点検を行う点検モード時にランプ４に供給する電力Ｗを、非常モード時にランプ４に供給する電力Ｗに比べて低く設定しているので、非常モード時のランプ４の明るさに比べて点検モード時のランプ４の明るさが暗くなって、点検モード時には人を避難口へと誘導する効果（以下、「誘導効果」と称する）が低くなり、これにより点検モードと非常モードとが判別し易くなって、点検時の動作と非常時の動作とを誤認してしまうことを抑制できる。
【００４１】
また、制御回路部５ｃによって、点検モード時にランプ４に供給する電力Ｗがランプ４の最低駆動電力（ランプ４が放電ランプである場合は最低放電維持電力）となるように点灯回路部３を制御することで、ランプ４の明るさを最も暗くすることが可能となり、これにより点検モードの誘導効果をさらに低くして、点検時の動作と非常時の動作とをさらに判別し易くすることができる。
【００４２】
ところで、上記の例では、点検モード時にランプ４に供給する電力Ｗを非常モード時よりも低くすることで、点検モードと非常モードとでランプ４の明るさを変え、これにより点検モードと非常モードとを誤認してしまうことを抑制するようにしているが、例えば、点検モード時には、ランプ４を非常モード時のように点滅させずに、非常モードよりも暗い明るさで連続的に点灯するようにしてもよい。この場合、上記の例よりも点検モードの誘導効果を低くでき、これにより点検モードと非常モードとの動作の違いが明瞭となるので、非常用装置の点検時の動作と非常時の動作とを誤認してしまうことをさらに抑制できる。
【００４３】
（実施形態２）
本実施形態の非常用装置は、上記の実施形態１と同様に避難誘導灯等の非常用の照明装置であり、図２に示すように、消防法の規定により避難口であることを示すシンボル等が付された点灯表示部（図示せず）と、点灯表示部の点灯に用いられるキセノンフラッシュランプからなるランプ４０と、ランプ４０の非常用電源となる二次電池１と、常用電源となる商用電源ＡＣから供給される交流を降圧、安定化して二次電池１充電用の直流を出力する充電回路部２と、二次電池１からの電力供給を元にしてランプ４０を点灯させる点灯回路部３０と、制御部５とを備えている。該制御部５には、二次電池１の残容量を検出する検出手段と、充電回路部２と点灯回路部３とスイッチング素子Ｑとを制御し、外部の信号装置６の非常信号Ａが入力されるとランプ４０に所定の電圧を印加して点灯させ、点検信号Ｂが入力されると非常信号Ａが入力されたときよりも低い電圧をランプ４０に印加して点灯させる制御手段と、制御手段に点検信号Ｂを入力して二次電池１を所定時間強制的に放電させた後の検出手段の検出結果に基いて二次電池１の異常を判断する点検手段とが設けられている。尚、充電回路部２については、従来例と同様のものであるから、説明を省略する。
【００４４】
まず、点灯回路部３０について説明する。点灯回路部３０は、例えば、スイッチング素子（図示せず）のオンオフ動作により二次電池１の電圧をランプ４０の放電電圧以上に昇圧する昇圧チョッパ回路等の昇圧回路３０ａと、昇圧回路３０ａの出力端間に接続された高耐圧のコンデンサからなる放電用コンデンサ３０ｂと、ランプ４０を始動、再始動させるためのトリガ回路３０ｃとを備えており、放電用コンデンサ３０ｂの両端間にランプ４０が接続されている。
【００４５】
トリガ回路３０ｃは、放電用コンデンサ３０ｂに並列接続される抵抗Ｒ１及びサイリスタＴからなる直列回路と、サイリスタＴのアノードに一端が接続されるコンデンサＣ１と、コンデンサＣ１の他端とサイリスタＴのカソードとの間に介装される一次側インダクタＬ１及びランプ４０用のトリガ電極Ｅに所定のパルス電圧を与える二次側インダクタＬ２を有するトランスＴｒと、サイリスタＴのカソード−ゲート間に介装される抵抗Ｒ２とで構成され、サイリスタＴのゲートは制御部５に接続されている。
【００４６】
制御部５は、タイマ機能を内蔵したマイクロコンピュータを主構成要素とし、電池電圧を検出する電圧検出部５ａと、電圧検出部５ａの検出結果から二次電池１の異常を判断する判断部５ｂと、上記の信号装置６の非常信号Ａや点検信号Ｂに基いて充電回路部２、点灯回路部３０の昇圧回路３０ａ、及び点灯回路部３０のトリガ回路３０ｃのサイリスタＴを制御する制御回路部５ｃとを備えている。したがって、制御部５の電圧検出部５ａ、判断部５ｂ、制御回路部５ｃがそれぞれ上記の検出手段、点検手段、制御手段に相当する。
【００４７】
また、制御部５は、二次電池１が満充電状態であるか否かを常時監視する監視機能を備えており、ここで二次電池１が満充電状態であるか否かの判断は、判断部５ｂにより行われる。例えば、電圧検出部５ａにより検出した二次電池１の電圧値が所定値以上となったか否か、或いはタイマ機能により二次電池１の充電継続時間が所定時間以上となったか否か（二次電池１の充電開始から満充電状態となるのに十分な時間が経過したか否か）によって、判断部５ｂは、二次電池１が満充電状態であるか否かを判断する。
【００４８】
制御回路部５ｃは、商用電源ＡＣから電力供給を受けているとき（常時）に、商用電源ＡＣにより二次電池１を充電する通常モードと、商用電源ＡＣからの電力供給が途絶えた非常時（停電時）に、二次電池１によりランプ４０を点灯させる非常モード（停電モード）と、二次電池１の点検を行う点検モードの３つの動作モードで充電回路部２、昇圧回路３０ａ、及びサイリスタＴを制御するように構成されており、以下に、各動作モードについて説明する。
【００４９】
通常モードは、信号装置６の非常信号Ａと点検信号Ｂのいずれの信号も入力されていない通常時の動作モードであり、このとき、制御回路部５ｃは、昇圧回路３０ａの動作を停止してランプ４０を消灯するとともに、充電回路部２を動作させて商用電源ＡＣからの電力供給により二次電池１を充電する。
【００５０】
非常モードは、非常時に避難誘導等を行うための動作モードであり、信号装置６の非常信号Ａが入力されるとこのモードに切り換えられる。以下に、この非常モードでの動作について説明する。非常モードに切り換えられると、制御回路部５ｃは、充電回路部２を停止させるとともに、昇圧回路３０ａを動作させて二次電池１の電圧をランプ４０の始動電圧を越える電圧（例えば３００Ｖ）に昇圧し、放電用コンデンサ３０ｂを充電する。この時、コンデンサＣ１には昇圧回路３０ａによって昇圧された電圧を電源として抵抗Ｒ１、コンデンサＣ１、トランスＴｒの一次側インダクタＬ１のように電流が流れ、コンデンサＣ１には電荷が蓄積される。このようにしてコンデンサＣ１が充電されると、制御回路部５ｃは、サイリスタＴのゲート−カソード間に電圧を印加してサイリスタＴをオンし、コンデンサＣ１に蓄積した電荷を、一次側インダクタＬ１を通じて急峻に放出させ、これにより一次側インダクタＬ１にパルス状の電圧を発生させる。
【００５１】
一次側インダクタＬ１にパルス状の電圧が発生すると、トランスＴｒの二次側インダクタＬ２には、これらインダクタＬ１，Ｌ２の巻数比に応じた高圧のパルス電圧が発生し、このパルス電圧がトリガ電極Ｅに印加され、これによりランプ４０内のガスがイオン化されて、ランプ４０内はほぼ短絡状態となり、放電用コンデンサ３０ｂに蓄積された電荷がランプ４０を通じて瞬時に放電されてランプ４０が点灯する。この後に、放電によりコンデンサ３０ｂの両端電圧が下がって始動電圧を下回ると、コンデンサ３０ｂの放電が自然に止まってランプ４０が消灯し、ランプ４０が消灯した後は、再びコンデンサ３０ｂが昇圧回路３０ａの出力電圧により充電される。
【００５２】
そして、所定時間経過後（放電用コンデンサ３０ｂ及びコンデンサＣ１が充電された後）に再び制御回路部５ｃによりサイリスタＴがオンされると、上記と同様の動作が行われてランプ４０が点灯、消灯し、以降、この動作が繰り返される。このように、非常モードでは、ランプ４０が所定の周波数で点滅することで、人を避難口に誘導できる。また、ランプ４０として、キセノンフラッシュランプのような、単位時間当たりの光出力が非常に大きく、演色性が良いランプを用いているので、高い誘導効果を得ることが可能となる。尚、ランプ４０としては、上記のような点滅させて使用するキセノンフラッシュランプに限らず、キセノンランプ等の高輝度放電灯（ＨＩＤランプ）を用いるようにしてもよい。
【００５３】
点検モードは、二次電池１の定期的な点検を行うための動作モードであり、信号装置６の点検信号Ｂが入力されるとこのモードに切り換えられる。以下に、この点検モード時の動作について説明する。点検モードに切り換えられると、制御回路部５ｃは、上記の非常モードと同様に点灯回路部３０を制御してランプ４０を点滅させるのであるが、このとき、非常モードよりも昇圧回路３０ａのスイッチング素子のオン期間を短くすることで、昇圧回路３０ａの出力電圧がランプ４０の始動電圧以上非常モード時の電圧未満（例えば２００Ｖ）となるようにしている。
【００５４】
また、動作モードが点検モードに切り換えられた際には、監視機能により電池電圧が満充電状態の電圧となっているか否かを判断し、電池電圧が満充電状態の電圧に満たない場合は、点検モードを強制的に中止し、通常モードへと移行する。
【００５５】
そして、電池電圧が満充電状態の電圧以上となっている場合には、ランプ４０を上記の条件で所定時間（点検モード時のランプ４０の消費電力量が、非常モードで上記の消防法や建築基準法により定められた時間動作させた際のランプ４０の消費電力量以上となるような時間）以上点滅させて二次電池１を放電させ、所定時間経過後の電池電圧を電圧検出部５ａにより検出する。そして、判断部５ｂにより電圧検出部５ａの検出値と放電基準電圧（例えば二次電池１によりランプ４０を有効に点灯するために最低限必要な電圧）とを比較し、電池電圧が放電基準電圧以上であれば、二次電池１が正常であると判断し、電池電圧が放電基準電圧を下回れば、二次電池１が異常であると判断する。
【００５６】
以上述べた本実施形態の照明装置によれば、二次電池１の点検を容易に行えるという利点に加えて、非常モード時と点検モード時とでランプ４０の点滅周期を同じとしながらも、点検モード時の昇圧回路３０ｂの出力電圧を、非常モード時の昇圧回路３０ｂの出力電圧に比べて低く設定しているので、非常モード時のランプ４０の明るさに比べて点検モード時のランプ４０の明るさが暗くなり、これにより点検モード時には誘導効果が低くなるから、点検モードと非常モードとを判別し易くなって、点検時の動作と非常時の動作とを誤認してしまうことを抑制できる。
【００５７】
また、本実施形態のように、ランプ４０としてキセノンフラッシュランプ等のキセノンランプを用いた際には、点検モード時の昇圧回路３０ｂにより充電される放電用コンデンサ３０ｂの両端電圧を、ランプ４０の始動電圧程度に設定すれば、ランプ４０の明るさを最も暗くして点検モードの誘導効果をさらに低くでき、これにより、非常用装置の点検時の動作と非常時の動作とをさらに判別し易くすることができる。
【００５８】
（実施形態３）
上記の実施形態１，２では、ともに点検モード時にランプを点灯させるようにしているが、本実施形態では、抵抗器を点検用の負荷として付設し、例えばスイッチの切り換えによって、非常モード時には二次電池とランプとを接続し、点検モード時には二次電池と点検用の負荷である抵抗器とを接続するようにしたことに特徴がある。尚、その他の構成については、上記実施形態１，２と同様の構成を採用することができるから説明を省略する。
【００５９】
すなわち、本実施形態の点検モードでは、上述したように二次電池と抵抗器とを接続することで、抵抗器を用いて二次電池の電荷を放電させるのである。尚、上記実施形態１，２同様、動作モードが点検モードに切り換えられた際には、監視機能により電池電圧が満充電状態の電圧となっているか否かを判断し、電池電圧が満充電状態の電圧に満たない場合は、点検モードを強制的に中止し、通常モードへ移行する。
【００６０】
そして、電池電圧が満充電状態の電圧以上となっている場合には、上記の条件で所定時間（抵抗器の消費電力量が、非常モードで上記の消防法や建築基準法により定められた時間動作させた際のランプの消費電力量以上となるような時間）以上、抵抗器に電流を流して二次電池を放電させ、所定時間経過後の電池電圧を電圧検出部により検出する。そして、判断部により電圧検出部の検出値と放電基準電圧（例えば二次電池によりランプを有効に点灯するために最低限必要な電圧）とを比較し、電池電圧が放電基準電圧以上であれば、二次電池が正常であると判断し、電池電圧が放電基準電圧を下回れば、二次電池が異常であると判断する。
【００６１】
したがって、本実施形態によれば、非常モード時にはランプを点灯させ、点検モード時には、点検用の負荷によって二次電池を放電するようにしているので、点検モード時にはランプが点灯しなくなって誘導効果が得られなくなり、これにより点検モードと非常モードとをより明確に判別することができ、その結果、点検時の動作と非常時の動作とを誤認してしまうことがなくなる。
【００６２】
尚、点検用の負荷の消費電力と、ランプの消費電力とが略等しくなるようにすれば、二次電池の点検の精度を向上できる。
【００６３】
また尚、点検用の負荷としては、上記の抵抗器の他、非常時に点灯させるランプよりも小型で目立たないランプ等を用いることができ、このような小型のランプを用いることで、点検が行われているか否かを確認することができる。
【００６４】
（実施形態４）
ところで、上記の実施形態１，２では、非常モード時にランプを点滅させるようにしているが、非常時におけるランプの点滅周期は、図３（ａ）に示すように、ＪＩＬ（日本照明器具工業会規格）により誘導効果が高い０．５秒（点滅周波数が２Ｈｚ）と規定されている。
【００６５】
そこで、本実施形態では、点検モードにおいてランプを点滅させる際に、ランプの点滅周期を非常モードの点滅周期である０．５秒よりも長くする、例えば、図３（ｂ）に示すように、点滅周期を２秒（点滅周波数を０．５Ｈｚ）とすることで、誘導効果を低くしたことに特徴がある。尚、その他の構成については、上記実施形態１，２と同様の構成を採用することができるから説明を省略する。
【００６６】
本実施形態の照明装置によれば、非常モード時のランプの点滅周期に比べて点検モード時のランプの点滅周期を長くすることで点検モード時の誘導効果を低くしているので、点検モードと非常モードとを判別し易くなり、これにより非常用装置の点検時の動作と非常時の動作とを誤認してしまうことを抑制できる。
【００６７】
（実施形態５）
本実施形態の非常用装置Ｌは、例えば、ランプの点灯とスピーカからの音声とによって視覚的及び聴覚的に避難誘導を行う機能を有する避難誘導灯であり、図４（ａ）に示すように、ランプ４０と、ランプ４０の非常用電源となる二次電池１を備えて二次電池１の電力供給によりランプ４０を点滅させる点滅ブロックＬＢＫと、スピーカＳＰと、スピーカＳＰの非常用電源となる二次電池１０を備えて二次電池１０の電力供給によりスピーカＳＰから音声を出力させる音声ブロックＳＢＫとを具備し、各ブロックＬＢＫ，ＳＢＫにはそれぞれ常用電源となる商用電源ＡＣと、非常信号Ａ及び点検信号Ｂを出力する信号装置６とが接続されている。
【００６８】
点滅ブロックＬＢＫは、図２に示す実施形態２の例と同様に、二次電池１と、充電回路部２と、点灯回路部３０と、制御部５とで構成されており、その動作は上記の実施形態２で述べた通りである。
【００６９】
音声ブロックＳＢＫは、例えば、図５（ａ）に示すように、マイクロコンピュータ（以下、「マイコン」と称する）７０を有する制御部と、マイコン７０からのコマンド入力により所定の音声出力を行うように制御される音声合成ＬＳＩ７１からなる音声回路部と、音声合成ＬＳＩ７１のクロック周波数を設定するクリスタル又はセラミック発振子７２と、音声合成ＬＳＩ７１の出力電圧（音声信号）を増幅してスピーカＳＰに出力するアンプ７３と、商用電源ＡＣ（図４（ａ）参照）からの電力供給により二次電池１０を充電する充電回路部（図示せず）と、スピーカＳＰの動作電源となる二次電池１０（図４（ａ）参照）とを備えている。尚、マイコン７０、音声合成ＬＳＩ７１、及びアンプ７３の動作電源は、上記の二次電池１０とは別の二次電池、又は一次電池等により得るようにしている。
【００７０】
マイコン７０は、二次電池１０の残容量を検出する検出手段と、信号装置６の非常信号Ａが入力されると非常時の音声信号を出力させるコマンドを、点検信号Ｂが入力されると点検時の音声信号を出力させるコマンドを音声合成ＬＳＩ７１に出力して音声合成ＬＳＩ７１を制御し、非常信号Ａと点検信号Ｂのいずれの信号も入力されていないときは充電回路部により二次電池１０を充電させる制御手段と、制御手段に点検信号Ｂを入力して二次電池を所定時間強制的に放電させた後の検出手段の検出結果に基いて二次電池の異常を判断する点検手段とを備えている。また、マイコン７０は、二次電池１０が満充電状態であるか否かを常時監視する監視機能を備えており、ここで二次電池１０が満充電状態であるか否かの判断は、例えば、検出手段により検出した二次電池１０の電圧値が所定値以上となったか否か、或いはタイマ機能により二次電池１０の充電継続時間が所定時間以上となったか否か（二次電池１０の充電開始から満充電状態となるのに十分な時間が経過したか否か）によって行う。
【００７１】
音声合成ＬＳＩ７１は、例えば、沖電気工業（株）製「ＭＬ２２５１」等が用いられ、マイコン７０からのコマンド入力により制御されて、非常時の音声信号又は点検時の音声信号をアンプ７３に出力するように構成されている。ここで、非常時の音声信号は、スピーカＳＰからＪＩＬで規定された警報音声（誘導音声）、日本語では「非常口は、こちらです」、英語では「Here is an emergency exit」を、ＪＩＬで規定された音圧以上（音圧レベルの最高値が９０ｄＢＡ以上）で発生させる信号であり、点検時の音声信号は、スピーカＳＰから非常時の音声信号と同じ警報音声を、非常時の音声信号よりも低い音圧（音圧レベル）で出力させる信号である。
【００７２】
尚、図５（ａ）では、シリアルインターフェースを用いた場合のマイコン７０と音声合成ＬＳＩ７１との接続例を示しており、例えば、マイコン７０より音声合成ＬＳＩ７１のＤ１端子（Ｄ１ピン）へ所定のコマンドを入力することで、音声合成ＬＳＩ７１の動作、停止等を行うことができ、また、マイコン７０からのコマンド入力は、音声合成ＬＳＩ７１の各端子（例えば、ＲＥＳＥＴ、ＣＳ、ＷＲ等）を一定の条件とすることによって行う。このような音声合成ＬＳＩの使用方法については、従来周知のものであるから、ここでは説明を省略する。また、図５（ａ）の接続例では、シリアルインターフェースを用いた場合を示しているが、パラレルインターフェースを用いてもよい。
【００７３】
上述したようにマイコン７０は、商用電源ＡＣから電力供給を受けているとき（常時）に、商用電源ＡＣにより二次電池１０を充電する通常モードと、災害等により商用電源ＡＣからの電力供給が途絶えた非常時（停電時）に、二次電池１０によりスピーカＳＰから音声を出力させる非常モード（停電モード）と、二次電池１０の点検を行う点検モードの３つの動作モードを有しており、以下に各動作モードについて説明する。
【００７４】
通常モードは、信号装置６の非常信号Ａと点検信号Ｂのいずれの信号も入力されていない通常時の動作モードであり、このとき、マイコン７０は、図示しない充電回路部を動作させ、商用電源ＡＣからの電力供給により二次電池１０を充電する。
【００７５】
非常モードは、非常時（停電時）に避難誘導等を行うための動作モードであり、信号装置６の非常信号Ａが入力されるとこのモードに切り換えられる。そして、非常モードでは、マイコン７０は、図示しない充電回路部を停止させるとともに、非常時の音声信号を出力させるコマンドを音声合成ＬＳＩ７１に入力して、音圧レベルの最高値が９０ｄＢＡ以上の警報音声をスピーカＳＰから出力させて、人を避難口に誘導する。
【００７６】
点検モードは、二次電池１０の定期的な点検を行うための動作モードであり、信号装置６の点検信号Ｂが入力されるとこのモードに切り換えられる。以下に、この点検モード時の動作について説明する。点検モードに切り換えられると、マイコン７０は、図示しない充電回路部２を停止させるとともに、点検時の音声信号を出力させるコマンドを音声合成ＬＳＩ７１に入力して、非常時よりも音圧レベルが低い警報音声をスピーカＳＰから出力させる。
【００７７】
ここで動作モードが点検モードに切り換えられた際には、監視機能により電池電圧が満充電状態の電圧となっているか否かを判断するようになっており、電池電圧が満充電状態の電圧に満たない場合は、正しい点検を行えないため、点検モードを強制的に中止し、通常モードへ移行する。
【００７８】
そして、電池電圧が満充電状態の電圧以上となっている場合には、スピーカＳＰから上記の警報音声を所定時間（点検モード時のスピーカＳＰの消費電力量が、非常モードで上記の消防法や建築基準法の規定により定められたランプの点灯時間だけ動作させた際のスピーカＳＰの消費電力量以上となるような時間）以上出力させて二次電池１０を放電させ、所定時間経過後の電池電圧を検出手段により検出する。そして、点検手段により検出手段の検出結果と放電基準電圧（例えば二次電池１０によりスピーカＳＰを有効に駆動するために最低限必要な電圧）とを比較し、電池電圧が放電基準電圧以上であれば、二次電池１０が正常であると判断し、電池電圧が放電基準電圧を下回れば、二次電池１０が異常であると判断する。
【００７９】
したがって、以上述べた音声ブロックＳＢＫでは、二次電池１０の点検を容易に行えるという利点の他、非常時には音圧レベルの最高値が９０ｄＢＡ以上の警報音声を発生させることで誘導効果を高めているのに対して、点検時には非常時よりも音圧レベルが低い警報音声を発生させることで誘導効果を低くしているので、非常時の動作と点検時の動作とを判別し易くなるという利点がある。また、マイコン７０に点検信号が入力された点検時に、音声合成ＬＳＩ７１を制御してスピーカＳＰから最も低い音圧の音声を出力させるようにすれば、点検時の誘導効果をさらに低くすることができ、これにより非常時の動作と点検時の動作とをさらに判別し易くすることができる。
【００８０】
また、点滅ブロックＬＢＫでは、上記の実施形態２で述べたように、二次電池１の点検を容易に行えるという利点の他、二次電池１の点検を行う点検モード時の昇圧回路３０ｂの出力電圧を、非常モード時の昇圧回路３０ｂの出力電圧に比べて低く設定することで非常モード時のランプ４０の明るさに比べて点検モード時のランプ４０の明るさを暗くし、これにより点検モード時の誘導効果を低くしているので、非常時の動作と点検時の動作とを判別し易くなるという利点がある。
【００８１】
以上述べた本実施形態の非常用装置Ｌによれば、音声ブロックＳＢＫを具備しているので、音声によっても避難誘導を行え、これにより点滅ブロックＬＢＫのみを備えている場合に比べて災害発生時等の非常時の誘導効果を高めることができる。加えて、音声ブロックＳＢＫと点滅ブロックＬＢＫの各二次電池１，１０の点検を容易に行え、しかも、各ブロックＳＢＫ，ＬＢＫにおいて、点検時の動作と非常時の動作とを誤認してしまうことを抑制できる。
【００８２】
ところで、図５（ａ）に示す音声ブロックＳＢＫでは、音声ブロックＳＢＫによりスピーカＳＰに出力する電圧を低くする方法として、音声ブロックＳＢＫに内蔵した音声合成ＬＳＩ７１に入力するマイコン７０のコマンドにより調整する方法を用いているが、例えば図５（ｂ）に示すような音声増幅回路７４を有する音声ブロックＳＢＫを用い、音声増幅回路７４の増幅率を小さくする方法を用いることもできる。
【００８３】
図５（ｂ）に示す音声ブロックＳＢＫは、マイコン７０と、マイコン７０からのコマンド入力により所定の音声出力を行うように制御される音声合成ＬＳＩ７１と、音声合成ＬＳＩ７１の出力電圧（音声信号）を増幅してスピーカＳＰに出力する音声増幅回路７４と、商用電源ＡＣ（図４（ａ）参照）からの電力供給により二次電池１０（図４（ａ）参照）を充電する充電回路部（図示せず）と、スピーカＳＰの動作電源となる二次電池１０（図４（ａ）参照）とを備えている。尚、マイコン７０、音声合成ＬＳＩ７１、及びアンプ７３の動作電源は、上記の二次電池１０とは別の二次電池、又は一次電池等により得るようにしている。
【００８４】
マイコン７０は、信号装置６の非常信号Ａが入力されると、図示しない充電回路部を停止させるとともに音声合成ＬＳＩ７１に音声信号を出力させるコマンドを入力し、さらに後述する音声増幅回路７４のトランジスタＰをオフにする信号を出力する。また、マイコン７０は、信号装置６の点検信号Ｂが入力されると、非常信号Ａが入力されたときと同様に、図示しない充電回路部を停止させるとともに音声合成ＬＳＩ７１に音声信号を出力させるコマンドを入力し、さらにトランジスタＰをオンにする信号を出力する。尚、信号装置６の非常信号Ａと点検信号Ｂのいずれの信号も入力されていないときは、マイコン７０は、図示しない充電回路部により二次電池１０を充電させる。
【００８５】
音声合成ＬＳＩ７１は、例えば、沖電気工業（株）製「ＭＬ２２５１」等が用いられ、マイコン７０からのコマンド入力により制御されて、所定の音声信号を出力するように構成されている。この音声信号は、ＪＩＬで規定された警報音声（誘導音声）、日本語では「非常口は、こちらです。」、英語では「Here is an emergency exit」の音声信号である。
【００８６】
音声増幅回路７４は、図５（ｂ）に示すように、音声合成ＬＳＩ７１の出力端間に接続されるコンデンサＣ２、抵抗Ｒ３〜Ｒ５の直列回路と、抵抗Ｒ５に並列接続されマイコン７０によりオンオフされる前述のトランジスタＰと、抵抗Ｒ４，Ｒ５に並列接続されるコンデンサＣ３と、抵抗Ｒ３，Ｒ４の接続点に入力端子が接続され、一定の増幅率で音声信号を増幅する音声増幅アンプＩＣ（例えば松下電気産業（株）製「ＡＮ５２７９」）と、音声増幅アンプＩＣのＲＦ端子とグラウンドとの間に接続されるコンデンサＣ４と、音声増幅アンプＩＣの出力端子とグラウンドとの間に接続されるコンデンサＣ５及び抵抗Ｒ６からなる直列回路と、音声増幅アンプＩＣの出力端子とスピーカＳＰとの間に介装されるコンデンサＣ６とで構成されている。尚、音声増幅アンプＩＣの電源電圧Ｖｃｃは、上記の二次電池１０とは別の二次電池、又は一次電池等から得るようにしている。
【００８７】
上述の音声増幅回路７４では、トランジスタＰがオンである場合には、音声合成ＬＳＩ７１の出力電流は、コンデンサＣ２、抵抗Ｒ３，Ｒ４、トランジスタＰを通り、トランジスタＰがオフである場合には、音声合成ＬＳＩ７１の出力電流は、コンデンサＣ２、抵抗Ｒ３〜Ｒ５を通るため、トランジスタＰがオンである場合に比べてトランジスタＰがオフである場合のほうが、音声増幅アンプＩＣに入力される音声合成ＬＳＩ７１の出力電圧（音声信号）が高くなる。そして、音声増幅アンプＩＣの増幅率は、トランジスタＰがオフであるときの音声合成ＬＳＩ７１の出力電圧（音声信号）が入力された際に、スピーカＳＰからＪＩＬで規定された音圧以上（音圧レベルの最高値が９０ｄＢＡ以上）の警報音声を発生できる程度に設定してあり、この増幅率は一定であるから、トランジスタＰがオンであるときの音声合成ＬＳＩ７１の出力電圧が入力された際には、当然ながら、トランジスタＰがオフであるときよりもスピーカＳＰから発生される警報音声の音圧レベルは低くなる。つまり、音声増幅回路７４は、トランジスタＰのオンオフによって、その増幅率が変化するのである。
【００８８】
したがって、上述した図５（ｂ）に示す音声ブロックＳＢＫを用いることによっても、図５（ａ）に示す音声ブロックＳＢＫと同様に、信号装置６から非常信号Ａと点検信号Ｂのいずれの信号も出力されていない常時では、充電回路部により二次電池１０を充電し、信号装置６から非常信号Ａが出力された非常時では、音圧レベルの最高値が９０ｄＢＡ以上の警報音声をスピーカＳＰから発生させ、信号装置６から点検信号Ｂが出力された点検時では、非常時よりも音圧レベルが低い警報音声をスピーカＳＰから発生させることができる。
【００８９】
一方、図４（ａ）に示す非常用装置Ｌの例では、点滅ブロックＬＢＫと音声ブロックＳＢＫとで別々の二次電池を用いているが、図４（ｂ）に示すように点滅ブロックＢＫと音声ブロックＳＢＫとで二次電池１を共用するようにしてもよく、このようにすれば、例えば音声ブロックＳＢＫ側の充電回路等を省略して回路構成を簡略化することができ、低コスト化を図ることができる。また、点検時にも二次電池１のみを点検すればよいから、点検作業が簡単に行えるようになる。
【００９０】
尚、本実施形態の非常用装置Ｌは、音声ブロックＳＢＫと点滅ブロックＬＢＫを備えているが、単に音声ブロックＳＢＫのみを備えるような音声誘導型の非常用装置としてもよい。この点は、後述する実施形態６，７においても同様である。
【００９１】
（実施形態６）
上記の実施形態５の非常用装置では、音声ブロックＳＢＫにより、非常時と点検時とで同じ警報音声（ＪＩＬで規定された警報音声（誘導音声）、日本語では「非常口は、こちらです。」、英語では「Here is an emergency exit」）を発生するようにしているが、本実施形態の非常用装置では、音声合成ＬＳＩ７１において非常時と点検時とで音声を異ならせたことに特徴があり、その他の構成は上記実施形態５と同様であるから説明を省略する。
【００９２】
すなわち、本実施形態の音声合成ＬＳＩは、上記実施形態５と同様に、沖電気工業（株）製「ＭＬ２２５１」等が用いられているものの、マイコン７０からのコマンド入力により、非常時と点検時とで音声が異なる音声信号を出力するように構成されている。
【００９３】
ここで、非常時の音声信号は、上記実施形態５と同様に、スピーカＳＰからＪＩＬで規定された警報音声（誘導音声）、日本語では「非常口は、こちらです。」、英語では「Here is an emergency exit」を、ＪＩＬで規定された音圧以上（音圧レベルの最高値が９０ｄＢＡ以上）で出力させる信号とし、点検時の音声信号は、「ただいま点検中です」等の点検中であることを通知する音声のような非常時とは全く内容が異なる音声を、スピーカＳＰから出力させる信号としている。加えて、非常時におけるスピーカＳＰの消費電力と、点検時におけるスピーカＳＰの消費電力とが略等しくなるようにしている。
【００９４】
したがって、本実施形態の非常用装置によれば、非常時には音圧レベルの最高値が９０ｄＢＡ以上の警報音声を発生させることで誘導効果を高めているのに対して、点検時には非常時とは全く異なる音声を発生させることで誘導効果をなくしているので、非常時の動作と点検時の動作とを誤認することがなくなる。また、非常時におけるスピーカＳＰの消費電力と、点検時におけるスピーカＳＰの消費電力とが略等しくなるようにしているので、二次電池の点検の精度を向上できる。
【００９５】
（実施形態７）
本実施形態は、上記の実施形態５又は実施形態６のように、音声ブロックＳＢＫを備えた非常用装置において、点滅ブロックＬＢＫの点検モード終了後に、点検結果を音声で発生するようにしたことに特徴がある。
【００９６】
すなわち、本実施形態の非常用装置は、図４（ａ）に示す実施形態５の例と同様に、ランプ４０と、ランプ４０の非常用電源となる二次電池１を備えて二次電池１の電力供給によりランプ４０を点滅させる点滅ブロックＬＢＫと、スピーカＳＰと、スピーカＳＰの非常用電源となる二次電池１０を備えて二次電池１０の電力供給によりスピーカＳＰから音声を出力させる音声ブロックＳＢＫとを具備し、各ブロックＬＢＫ，ＳＢＫにはそれぞれ常用電源となる商用電源ＡＣと、非常信号Ａ及び点検信号Ｂを出力する信号装置６とが接続されている。
【００９７】
点滅ブロックＬＢＫは、図２に示す実施形態２の例と同様に、二次電池１と、充電回路部２と、点灯回路部３０と、制御部５とを備えているが、制御部５が、ランプ点検手段と、点検モード終了後にランプ点検手段の点検結果又は二次電池１の点検結果を音声ブロックＳＢＫのマイコン７０へ出力する結果出力手段とを備えている点で上記の実施形態２と異なっている。尚、この他の点滅ブロックＬＢＫの構成や動作は、上記の実施形態２と同様であるから説明を省略する。
【００９８】
ランプ点検手段は、点検モード時にランプ４０の点灯状態を判断するものであり、点灯状態の判断は、点検モードにおいてサイリスタＴをオンとしている間に、図６（ａ）に示す接続線８により引き込んだ放電用コンデンサ３０ｂの電圧が大きく変動しているか否かによって判断する。これは、ランプ４０等に異常がなければ、サイリスタＴがオンとなった際に、放電用コンデンサ３０ｂの電荷によりランプ４０が点灯して、放電用コンデンサ３０ｂの電圧が急激に低下する点に着目したものである。つまり、サイリスタＴをオンした際に放電用コンデンサ３０ｂの電圧が低下していけば、ランプ４０が正常に点灯していると判断し、サイリスタＴをオンした際に放電用コンデンサ３０ｂの電圧がほとんど変動しなければ、ランプ４０が点灯していないと判断するのである。
【００９９】
結果出力手段は、点検モード終了後に、判断部５ｂとランプ点検手段の点検結果に基いて、点検モードの点検結果を示す信号として、二次電池１が正常であることを示すランプ用電池正常信号と、二次電池１が異常であることを示すランプ用電池異常信号と、ランプ４０が不点灯であったことを示すランプ異常信号とのいずれか１つの信号を音声ブロックＳＢＫのマイコン７０へ出力するものである。尚、ランプ異常信号は、ランプ電池正常信号より優先して出力するようにしている。これは、ランプ４０が不点灯である場合には、放電用コンデンサ３０ｂの電荷がほとんど変化しないために、ランプ４０が点灯している場合に比べて二次電池１の電力消費が極めて少なくなり、このような状態では二次電池１の点検を正しく行えないからである。
【０１００】
一方、音声ブロックＳＢＫは、図５（ａ）に示す実施形態５の例と同様に、マイコン７０と、音声合成ＬＳＩ７１と、クリスタル又はセラミック発振子７２と、アンプ７３と、充電回路部（図示せず）と、スピーカＳＰの動作電源となる二次電池１０とを備えているが、マイコン７０に点検結果通知手段を設けた点、及び音声合成ＬＳＩ７１に点検結果通知用の音声信号を新たに加えた点で実施形態５と異なっている。尚、この他の音声ブロックＳＢＫの構成や動作は、実施形態５と同様である。
【０１０１】
マイコン７０は、二次電池１０の残容量を検出する検出手段と、信号装置６の非常信号Ａが入力されると音声合成ＬＳＩ７１に非常時の音声信号を出力させるコマンドを、点検信号Ｂが入力されると音声合成ＬＳＩ７１に点検時の音声信号を出力させるコマンドをそれぞれ出力して音声合成ＬＳＩ７１を制御し、信号装置６の非常信号Ａと点検信号Ｂのいずれの信号も入力されていないときは充電回路部により二次電池１０を充電させる制御手段と、制御手段に点検信号Ｂを入力して二次電池を所定時間強制的に放電させた後の検出手段の検出結果に基いて二次電池の異常を判断する点検手段と、点検手段の点検結果を通知する音声をスピーカＳＰから出力させる点検結果通知手段とを備えている。また、マイコン７０は、実施形態５で述べたように二次電池１０が満充電状態か否かを常時監視する監視機能を備えている。
【０１０２】
点検結果通知手段は、音声合成ＬＳＩ７１に所定のコマンドを入力して、上記点検手段の点検結果通知用の音声信号を音声合成ＬＳＩ７１から出力させるように構成されており、二次電池１０が正常であれば、スピーカ電池正常用音声信号を、二次電池１０が異常であれば、スピーカ電池異常用音声信号を音声合成ＬＳＩ７１に出力させるコマンドを音声合成ＬＳＩ７１に入力する。また、点検結果通知手段は、点滅ブロックＬＢＫの点検モードの点検結果を通知するための音声信号を音声合成ＬＳＩ７１から出力させるようにも構成されており、制御部５の結果出力手段のランプ電池正常信号が入力された際にはランプ電池正常用音声信号を、ランプ電池異常信号が入力された際にはランプ電池異常用音声信号を、ランプ異常信号が入力された際にはランプ異常用音声信号を、それぞれ音声合成ＬＳＩ７１から出力させるコマンドを音声合成ＬＳＩ７１に入力する。
【０１０３】
音声合成ＬＳＩ７１は、例えば、沖電気工業（株）製「ＭＬ２２５１」等が用いられ、マイコン７０からのコマンド入力によって、非常時と点検時の２種類の音声信号に加えて、点滅ブロックＬＢＫの点検結果を示す３種類の音声信号と、音声ブロックＳＢＫの点検結果を示す２種類の音声信号を出力するように構成されている。ここで、非常時の音声信号と点検時の音声信号は上記の実施形態５と同様であるから説明を省略し、点滅ブロックＬＢＫの点検結果を示す音声信号であるランプ電池正常用音声信号、ランプ電池異常用音声信号、及びランプ異常用音声信号と、音声ブロックＳＢＫの点検結果を示す音声信号であるスピーカ電池正常用音声信号及びスピーカ電池異常用音声信号について説明する。
【０１０４】
すなわち、ランプ電池正常用音声信号は、例えば「ランプ用バッテリに異常はありません」等の二次電池１が正常であることを知らせる音声を、ランプ電池異常用音声信号は、例えば「ランプ用バッテリに異常があります」等の二次電池１が異常であることを知らせる音声を、ランプ異常用音声信号は、例えば「ランプが不点灯です」等のランプの異常を知らせる音声をそれぞれスピーカＳＰから出力させる信号である。一方、スピーカ電池正常用音声信号は、例えば「スピーカ用バッテリに異常はありません」等の二次電池１０が正常であることを知らせる音声を、スピーカ電池異常用音声信号は、例えば「スピーカ用バッテリに異常があります」等の二次電池１０が異常であることを知らせる音声をそれぞれスピーカＳＰから出力させる信号である。
【０１０５】
以下に、本実施形態の非常用装置に特有の動作、つまりは点滅ブロックＬＢＫと音声ブロックＳＢＫとの点検結果をスピーカＳＰにより通知する動作について説明する。例えば、両ブロックＬＢＫ，ＳＢＫの点検を行った結果、ランプ４０及び各二次電池１，１０に異常がない場合は、制御部５はマイコン７０にランプ電池正常信号を出力する。そして、マイコン７０は音声合成ＬＳＩ７１にランプ電池正常用音声信号と、スピーカ電池正常用音声信号とを出力させ、この結果、スピーカＳＰからは「ランプ用バッテリに異常はありません」等の二次電池１が正常であることを知らせる音声と、「スピーカ用バッテリに異常はありません」等の二次電池１０が正常であることを知らせる音声とが順次出力される。
【０１０６】
また、両ブロックＬＢＫ，ＳＢＫの点検を行った結果、二次電池１０とランプ４０に異常はないものの二次電池１に異常がある場合は、制御部５はマイコン７０にランプ電池異常信号を出力する。そして、マイコン７０は音声合成ＬＳＩ７１にランプ電池異常用音声信号と、スピーカ電池正常用音声信号を出力させ、この結果、スピーカＳＰからは「ランプ用バッテリに異常があります」等の二次電池１が異常であることを知らせる音声と、「スピーカ用バッテリに異常はありません」等の二次電池１０が正常であることを知らせる音声とが順次出力される。
【０１０７】
或いは、両ブロックＬＢＫ，ＳＢＫの点検を行った結果、ランプ４０が点灯せず、二次電池１０に異常がある場合は、二次電池１が正常であるか否かによらずに、制御部５はマイコン７０にランプ異常信号を出力する。そして、マイコン７０は音声合成ＬＳＩ７１にランプ異常用音声信号とスピーカ電池異常用音声信号とを出力させ、この結果、スピーカＳＰからは「ランプが不点灯です」等のランプ４０が不点灯であることを知らせる音声と、「スピーカ用バッテリに異常があります」等の二次電池１０が異常であることを知らせる音声とが順次出力される。
【０１０８】
以上述べた非常用装置では、上記の実施形態５の動作に加えて、点滅ブロックＬＢＫの点検結果を、二次電池１が正常である場合と、二次電池１が異常である場合と、ランプ４０が不点灯である場合との３つの場合に分けて音声で知らせるとともに、音声ブロックＳＢＫの点検結果を、二次電池１０が正常である場合と、二次電池１０が異常である場合との２つの場合に分けて音声で知らせるようになっているのである。
【０１０９】
したがって、本実施形態の非常用装置によれば、実施形態５の利点に加えて、点検モード終了後に、点検結果を知らせる音声をスピーカＳＰから発生するので、点検結果を容易に知ることができるという利点がある。
【０１１０】
ところで、図６（ａ）に示す例では、放電用コンデンサ３０ｂの電圧を検出することで、ランプ４０の点灯状態を判断するようにしているが、例えば図６（ｂ）に示すように、ランプ４０の近傍にフォトダイオード等の光センサ９を配置して、サイリスタＴをオンした際に、光センサ９によりランプ４０の光を検知したか否かによって、ランプ４０の点灯状態を判断するようにしてもよい。また、ランプ４０の点灯状態を判断する方法は、上記の例に限られるものではなく、状況に応じて好適なものを採用すれば良い。
【０１１１】
尚、本実施形態の非常用装置や上記の実施形態１〜６の非常用装置を複数備える非常用システムとして用いるようにしてもよく、また、これらを同一器具内に設けるようにしてもよい。
【図面の簡単な説明】
【０１１２】
【図１】（ａ）は、本発明の実施形態１の非常用装置の回路説明図であり、（ｂ）は、非常モード時の動作説明図であり、（ｃ）は、点検モード時の動作説明図である。
【図２】本発明の実施形態２の非常用装置の回路説明図である。
【図３】（ａ）は、本発明の実施形態４の非常用装置の非常モード時の動作説明図であり、（ｂ）は、点検モード時の動作説明図である。
【図４】（ａ）は、本発明の実施形態５の非常用装置の回路説明図であり、（ｂ）は、同上の非常用装置の他の例の回路説明図である。
【図５】（ａ）は、同上に用いる音声ブロックの回路説明図であり、（ｂ）は、同上に用いる音声ブロックの他の例の回路説明図である。
【図６】（ａ）は、本発明の実施形態７の非常用装置の回路説明図であり、（ｂ）は、同上の非常用装置の他の例の回路説明図である。
【図７】（ａ）は、従来の非常用装置の回路説明図であり、（ｂ）は、動作説明図である。
【符号の説明】
【０１１３】
１    二次電池
２    充電回路部
３    点灯回路部
４    ランプ
５    制御部
Ｑ    スイッチング素子
Ａ    非常信号
Ｂ    点検信号
Ｗ    電力
【図１】
0004631619.tif 000002
【図２】
0004631619.tif 000003
【図３】
0004631619.tif 000004
【図４】
0004631619.tif 000005
【図５】
0004631619.tif 000006
【図６】
0004631619.tif 000007
【図７】
0004631619.tif 000008